(57)【要約】      （修正有）【課題】種々の食べ物の調理法による要求を満足させられるように、料理する食べ物の特性に応じて熱源体と焼き板との間の距離を手軽に調節できる加熱調理器を提供する。【解決手段】垂直方向における上面中央に軸孔１１が形成された受け台と、上面に食物を入れられる容器であり、下面中央には軸孔が着脱容易に挿入される軸突起２１が形成された焼き板２０と、受け台の一側の垂直方向に設置される支持台３０と、支持台の上段に設置されて、電源の印加を受けて焼き板の上側で焼き板に向かって熱を供給する熱源体４０と、下段に軸孔が着脱容易に挿入される第１連結部５１が形成され、上段に軸突起が着脱容易に挿入される第２連結部５２が形成され、受け台と焼き板との間に設けられる高さ調節部５０と、を含み、高さ調節部は、受け台と焼き板との間に選択的に配置されることによって焼き板の高さを調節して、焼き板と熱源体との間の間隔を調節する。【選択図】図２
0003187267.tif 000002
【実用新案登録請求の範囲】
【請求項１】
上面中央に軸孔が形成された受け台と、
上面に食物が入れられる容器であり、下面中央には前記軸孔が着脱容易に挿入される軸突起が形成された焼き板と、
前記焼き板の上側に設置されて、電源の印加を受けて焼き板に向かって熱を供給する熱源体と、
垂直方向に延びるように設置され、下側の一端が前記受け台の一側に接続され、上側の他端が前記熱源体に接続される支持台と、
下段に前記軸孔が着脱容易に挿入される第１連結部が形成され、上段に前記軸突起が着脱容易に挿入される第２連結部が形成され、前記受け台と前記焼き板との間に設けられる高さ調節部と、
を含み、
前記高さ調節部は、前記受け台と前記焼き板との間に選択的に配置されることによって前記焼き板の高さを調節して、前記焼き板と前記熱源体との間の間隔を調節することを特徴とする、
焼き板の高さを調節可能な加熱調理器。
【請求項２】
前記第１連結部と前記軸孔、及び前記第２連結部と前記軸突起のうち少なくともいずれか一方は、回転可能に結合されることを特徴とする、請求項１に記載の焼き板の高さを調節可能な加熱調理器。
【請求項３】
前記高さ調節部は、前記軸孔が結合される第１連結部の結合面と、前記軸突起が結合する第２連結部の結合面とが各結合を案内する傾斜面からなることを特徴とする、請求項２に記載の焼き板の高さを調節可能な加熱調理器。
【請求項４】
前記第２連結部は、前記焼き板を安定的に支持できるように前記第１連結部の厚さより相対的に厚く形成されることを特徴とする、請求項３に記載の焼き板の高さを調節可能な加熱調理器。
【請求項５】
前記焼き板は、上面から前記軸突起を垂直方向に貫く油流出孔が中央に形成され、
前記高さ調節部は、前記第１連結部と前記第２連結部とを垂直方向に貫通して、前記油流出孔と連通する貫通ホールが中央に形成されることを特徴とする、
請求項４に記載の焼き板の高さを調節可能な加熱調理器。
【考案の詳細な説明】
【技術分野】
【０００１】
本考案は、焼き板の高さを調節可能な加熱調理器に関するものである。
【背景技術】
【０００２】
一般に、熱が伝えられるメカニズムは、伝導(Ｃｏｎｄｕｃｔｉｏｎ)、対流(Ｃｏｎｖｅｃｔｉｏｎ)及び輻射(Ｒａｄｉａｔｉｏｎ)に大別され、伝導熱は主に固体により伝達され、対流熱は主に流体によって伝達される。そして、輻射熱は、ある発熱体の表面から電磁波形態のエネルギーが放出される過程によって熱が伝達され、媒質がない状態でも熱が光の速度で放出されて、被写体まで直接伝達される。このような輻射熱の波長範囲は、赤外線から可視光線領域を経て波長が最も短い紫外線の領域にまで至る。しかし、可視光線や紫外線に比べて、遠赤外線や近・中赤外線のような赤外線波長領域帯は、最も強い熱作用を持つと知られている。
【０００３】
既存のロースターの熱源体は、ロースターの下部に位置し、ロースターの熱伝導効率を上げるために、焼き板位置に近く設置されるか、機器内部に設置される。既存のロースターの熱源体は、加熱時に高温の熱を直接焼き板に加えることで、冷めない温度で持続的に食べ物を加熱する。このため、焼き板が加熱し過ぎると食べ物が焦げたり、食べ物の味に影響を及ぼしたりすることになる。
【０００４】
仮に、炭(木炭)が熱源である場合、熱の高低は木炭数量と加熱持続時間とに直接関係するため、料理作業者は絶えず熱源の状態に応じて料理される食物をひっくり返したり掻き回したりするなどの処理をしなければならない。この作業は、非常にわずらわしく、調理法に対する相当な経験を要する。また、既存のロースターの多くは、下部本体の上側部分に安置したグリル(焼き網)が連結されて固定される方式が採用される。また、既存ロースターの下部熱源体は、下部本体と焼き板との間に設置され、熱源としては一般に電気や炭(木炭)が利用される。
【０００５】
この方式では、焼き板周辺温度の変化により熱が昇降することで、焼き板に安置した食べ物が調理される。このような下部熱源体を採用する方式は、以下のような問題がある。熱源と焼き板とが互いに連結され、固定された構造であることから、熱伝達を高めるために、熱源体がグリルの下部に最も近い位置に設けられる。電気方式のロースターは、食べ物に火が通った後、電源がオフにされても、熱源体の温度調整の遅延性によって熱源からの残存した熱が持続的に食べ物に作用するため、食べ物が焦げやすい。
【０００６】
また、ロースターの下部に設置された熱源体から放出された熱がグリルを通して食べ物に作用するため、使用者は食べ物のやけ加減を正確に把握できず、加熱をし過ぎることがある。このため、食べ物が焦げたり、料理される食べ物の味に影響を及ぼしたりすることがある。このような下部熱源体を採用するロースターの欠陥を改善するために、既存の技術として上部熱源体を備えたロースターが開示されている。
【考案の概要】
【考案が解決しようとする課題】
【０００７】
しかし、上部熱源体を備えたロースターは、上部熱源体と焼き板との距離を調整する必要があった。そこで、本考案は、上記問題に鑑みてなされたものであり、本考案の目的とするところは、種々の食べ物の調理法による要求を満足させられるように、料理する食べ物の特性に応じて熱源体と焼き板との間の距離を手軽に調節することが可能な、新規かつ改良された加熱調理器を提供することにある。
【課題を解決するための手段】
【０００８】
上記課題を解決するために、本考案のある観点によれば、垂直方向における上面中央に軸孔が形成された受け台と、上面に食物を入れられる容器であり、下面中央には軸孔が着脱容易に挿入される軸突起が形成された焼き板と、受け台の一側の垂直方向に設置される支持台と、支持台の上段に設置されて、電源の印加を受けて焼き板の上側で焼き板に向かって熱を供給する熱源体と、下段に軸孔が着脱容易に挿入される第１連結部が形成され、上段に軸突起が着脱容易に挿入される第２連結部が形成され、受け台と焼き板との間に設けられる高さ調節部と、を含み、高さ調節部は、受け台と焼き板との間に選択的に配置されることによって焼き板の高さを調節して、焼き板と熱源体との間の間隔を調節することを特徴とする、焼き板の高さを調節可能な加熱調理器が提供される。
【０００９】
第１連結部と軸孔、及び第２連結部と軸突起のうち少なくともいずれか一方は、回転可能に結合されてもよい。
【００１０】
高さ調節部は、軸孔が結合される第１連結部の結合面と、軸突起が結合する第２連結部の結合面とが各結合を案内する傾斜面からなってもよい。
【００１１】
第２連結部は、焼き板を安定的に支持できるように第１連結部の厚さより相対的に厚く形成されてもよい。
【００１２】
焼き板は、上面から軸突起を垂直方向に貫く油流出孔が中央に形成され、高さ調節部は、第１連結部と第２連結部とを垂直方向に貫通して、油流出孔と連通する貫通ホールが中央に形成されてもよい。
【考案の効果】
【００１３】
本考案の焼き板の高さを調節可能な加熱調理器は、熱源体の下部に位置する焼き板の高さを料理する食べ物の特性に応じて調節することによって、消費者の多様な要求を充足させることができ、焼き板を熱源体の近接に配置させる場合、低い熱エネルギーでも高い温度を維持できるため、熱エネルギーの利用効率が向上できる。
【００１４】
また、回転可能に設置された焼き板が安定的に支持されるようにして、高温の焼き板が料理過程でむやみに分離することを防ぐことができる。
【図面の簡単な説明】
【００１５】
【図１】本考案焼き板の高さを調節可能な加熱調理器の斜視図である。
【図２】本考案焼き板の高さを調節可能な加熱調理器の分解斜視図である。
【図３】本考案焼き板の高さを調節可能な加熱調理器の作用を示す側面図である。
【図４】本考案焼き板の高さを調節可能な加熱調理器の作用を示す側面図である。
【考案を実施するための形態】
【００１６】
以下に添付図面を参照しながら、本考案の好適な実施の形態について詳細に説明する。本考案を説明するにあたり、本明細書及び請求範囲に用いられた用語や単語は、考案者が自身の考案を最善の方法で説明するために、用語の概念を適切に定義することができる原則に基づいて、本考案の技術的思想に符合する意味と概念と解釈されなければならない。なお、本明細書及び図面において、実質的に同一の機能構成を有する構成要素については、同一の符号を付することにより重複説明を省略する。
【００１７】
図１及び図２に図示されたように、本考案の加熱調理器は、下部に油受け取りが備えられた受け台１０と、受け台１０の一側に垂直方向に設けられる支持台３０を介して連結されて受け台１０の垂直方向の上側に設けられる熱源体４０と、受け台１０の上面に置かれて熱源体４０から熱の伝達を受ける焼き板２０と、受け台１０と焼き板２０との間に選択的に介在し、焼き板２０の高さを調節することによって焼き板２０と熱源体４０との間の間隔を調節する連結部材である高さ調節部５０とを含んで構成される。
【００１８】
受け台１０は、上面中央に軸孔１１が垂直方向に貫通して形成され、下面には軸孔１１を通じて落ちる油を収集する油受け取り筒１２を引き出し可能な形態で収容する。
【００１９】
焼き板２０は、上面に調理する食べ物が入れられる容器であり、下面中央には軸孔１１に着脱可能に挿入される軸突起２１が形成され、中央には上面から軸突起２１を垂直方向に貫通する油流出孔２２が形成される。支持台３０は、垂直方向に延びるように設置され、下側の一端が受け台１０の一側に接続され、上側の他端が熱源体４０に接続される。熱源体４０は、受け台１０の一側に縦方向に設置される支持台３０の上段に設けられ、焼き板２０の上側で焼き板２０に向かって熱を供給するものであり、電源の印加を受けて赤外線を提供する加熱手段が適用される。
【００２０】
高さ調節部５０は、受け台１０と焼き板２０との間に設けられる。高さ調節部５０は、軸孔１１に回転及び着脱が容易に挿入される第１連結部５１が下段に形成され、軸突起２１が回転及び着脱が容易に挿入される第２連結部５２が上段に形成される。高さ調節部５０の中央には、第１連結部５１と第２連結部５２とを垂直方向に貫いて油流出孔２２と連通する貫通ホール５３が形成される。また、軸孔１１との結合面である第１連結部５１の外周面、及び軸突起２１との結合面である第２連結部５２の内周面は、軸孔１１及び軸突起２１との結合が容易にできるように傾斜面からなる。第１連結部５１の内径及び第２連結部５２の外径は、上側よりも下側が小さくなるように、傾斜面が形成される。また、第２連結部５２は、焼き板２０を安定的に支持できるように、第１連結部５１の厚さよりも相対的に厚く形成される。すなわち、第１連結部５１の外径は軸孔１１の内径よりも小さく形成され、第２連結部５２の外径は軸孔１１の内径よりも大きく形成される。第２連結部５２の内径は油流出孔２２の外径よりも大きく形成される。
【００２１】
以下、上述のように構成された本考案に係る加熱調理器の各構成の結合方法及び作用を説明する。
【００２２】
添付図面の図３および図４は、本考案に係る加熱調理器の作用を示した側面図である。
【００２３】
図３に図示するように、本考案に係る加熱調理器は、受け台１０の中央に形成された軸孔１１に高さ調節部５０の下段に設けられた第１連結部５１が挿入され、高さ調節部５０の上段に設けられた第２連結部５２に焼き板２０の中央下部に設けられた軸突起２１が挿入される。この状態において、焼き板２０は、第２連結部５２の高さだけ受け台１０から離隔された状態で支持される。この時、焼き板２０は、高さ調節部５０により上昇して配置され、熱源体４０に近接するため、温度がさらに上昇する。これによって、本考案に係る加熱調理器は、加熱エネルギーを利用して高熱量での調理及び加熱効果を提供するため、低い熱エネルギーでも高い温度を維持でき、エネルギー利用効率が向上する。
【００２４】
また、高さ調節部５０の第１連結部５１は、受け台１０の軸孔１１に回転可能な状態で結合され、焼き板２０の軸突起２１は、第２連結部５２に回転可能な状態で結合されるため、焼き板２０が回転可能な状態で受け台１０から支持される。従って、焼き板２０を回転させることによって焼き板２０上に置かれた食べ物に均等に熱を加えることができる。また、受け台１０の軸孔１１の位置と熱源体４０の中心位置とが偏心して配置される場合、焼き板２０の回転によって一領域に配置された食物は熱源体４０と近接して配置され、焼き板２０の中心を基準に一領域と対向する領域に配置された食べ物は熱源体４０と離隔して配置される。従って、焼き板２０の回転によりまだ焼けていない食べ物は、熱源体４０と近接して配置され、焼けた食べ物は、熱源体４０と離隔して配置されることによって、焼けた食べ物の焦げを防ぐことも可能となる。なお、本考案に係る加熱調理器は、第１連結部５１と軸孔１１又は第２連結部５２と軸突起２１のいずれか一方のみが回転可能な状態で結合されてもよい。
【００２５】
また、高さ調節部５０の軸孔１１と結合面である第１連結部５１の外周面、及び軸突起２１と結合面である第２連結部５２の内周面は、各々軸孔１１及び軸突起２１の挿入が案内されるように傾斜面からなる。従って、高さ調節部５０の第１連結部５１と軸孔１１とを結合及び分離したり、軸突起２１と第２連結部５２とを結合及び分離したりする過程が容易になる。
【００２６】
また、受け台１０の上面と焼き板２０の底面との間に介在して間隔を維持する第２連結部５２の厚さは、第１連結部５１の厚さに比べて相対的に厚く形成されて、焼き板２０を安定的に支持するように構成されている。このため、高温の焼き板２０が料理過程で高さ調節部５０からむやみに分離することを防ぐことができる。また、焼き板２０の中央に垂直方向に貫通形成された油流出孔２２は、高さ調節部５０に垂直方向に貫通形成された貫通ホール５３と連通するように構成されているため、食べ物を焼く過程で発生する油を油流出孔２２及び貫通ホール５３を経由して受け台１０の下部に配置された油受け取り筒１２で収集することができる。
【００２７】
一方、焼き板２０と熱源体４０との間の間隔を離隔させる場合、図４に図示するように、高さ調節部５０を省略し、受け台１０の中央に形成された軸孔１１に焼き板２０の中央下部に設けられた軸突起２１を挿入させることで、焼き板２０が受け台１０に直接支持されるため、焼き板２０が図３に比べて第２連結部５２の高さだけ低くなった状態で支持される。これにより、調理する食べ物と熱源体４０とを離隔させることができ、利用者の要求から食べ物を低温で加熱するような場合においても、要求を充足させることができる。
【００２８】
即ち、上述のように本考案に係る加熱調理器は、料理する食べ物の特徴及び利用者の好みによって、焼き板２０を最適の加熱位置に移動可能にすることができ、より一層おいしい食べ物を料理できるようになる。
【００２９】
また、このような状態でも軸突起２１が軸孔１１に回転可能な状態で結合するため、焼き板２０が回転することができ、焼き板２０の中央に垂直方向に形成された油流出孔２２が軸孔１１と連通するため、油流出孔２２を通じて流れる油を受け台１０下部の油受け取り筒１２で収集することができる。
【００３０】
また、本考案に係る加熱調理器は、第２連結部５２の高さが互いに異なる複数の高さ調節部５０を設けて、飲食の種類や利用者の好みによって複数の高さ調節部５０のうち、適切な高さを有するいずれか一つの高さ調節部５０を選択して、受け台１０と焼き板２０との間に配置することによって焼き板の高さを多様に設定することができる。
【００３１】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００３２】
１０      受け台
１１      軸孔
１２      油受け取り筒
２０      焼き板
２１      軸突起
２２      油流出孔
３０      支持台
４０      熱源体
５０      高さ調節部
５１      第１連結部
５２      第２連結部
５３      貫通ホール
【図１】
0003187267.tif 000003
【図２】
0003187267.tif 000004
【図３】
0003187267.tif 000005
【図４】
0003187267.tif 000006